(57)【要約】【課題】  体に装着したベルトを取り外す際の体への締め付けをなくし、ベルトの損傷を軽減できるバックル、及びバックルを備えたベルトを提供する。【解決手段】  略矩体の一辺が欠けたコの字状のバックル本体と、操作部を嵌合したベルト用バックルであって、操作部は帯状のベルト本体を枢支するための枢軸の両端に操作板を設け、該枢軸の中央部にはピンを挟み込むように枢支する支持部と、支持部はピンを回動可能に枢支する芯とコイルバネとからなり、前記操作板を回動させることにより、支持部に枢支されたピンが支持部に連動して回動方向に引かれ、ベルト本体の挿通孔に挿通されたピンがバックルに当接している部分からバックル裏面へと外れると同時に、ベルト本体の挿通孔からピンが抜け、係止状態を解除されたベルト本体をバックルから抜き去る事が可能となり、ベルトが抜き去られればピンは内蔵されたコイルバネの弾性によりバックル表側に戻る事を特徴としたバックルを提供する。【選択図】図４
2016049430.tif 000002
【特許請求の範囲】
【請求項１】
略矩形のピン付バックルにおいて、矩体の一辺が欠けたコの字状のバックル本体と、操作部を嵌合したベルト用バックルであって、バックル本体には開口部両端に操作部を嵌合する窪みが設けられ、操作部は帯状のベルト本体を枢止するための枢軸の両端に操作板を設け、該枢軸の中央部にはベルト本体に挿通されるピンを挟み込むように枢支する支持部とからなり、支持部はピンを枢支するための孔が開けられ、ピンと、コイルバネと、芯とからなり、一端にコイルバネが内蔵されたピンを芯が支持部に回動可能に枢支し、前記操作板を回動させることにより、支持部に枢支されたピンが支持部に連動して回動方向に引かれ、ベルト本体の挿通孔に挿通されたピンがバックルに当接している部分からバックル裏面へと外れると同時に、ベルト本体の挿通孔からピンが抜け落ち、係止状態を解除されたベルト本体をバックルから抜き去る事が可能となり、ベルト本体が抜き去られればピンは内蔵されたコイルバネの弾性によりバックル表側に戻る事を特徴としたバックル。
【請求項２】
略矩形のピン付バックルにおいて、矩体の一辺が欠けたコの字状のバックル本体と、操作部を嵌合したベルト用バックルであって、バックル本体には開口部両端に操作部を嵌合する窪みが設けられ、操作部は帯状のベルト本体を枢止するための枢軸の両端に操作板を設け、該枢軸の中央部にはベルト本体に挿通されるピンを挟み込むように枢支する支持部とからなり、支持部にはピンを枢支するための孔が開けられ、ピンと、ピンを回動可能に枢支する芯とからなり、該芯がピンを回動可能に枢支し、前記操作板を回動させることにより、支持部に枢止されたピンが支持部に連動して回動方向に引かれる事により、ベルトの挿通孔に挿通されたピンがバックルに当接している部分からバックル裏面に外れると同時にベルト本体の挿通孔からピンが抜け落ち、ベルト本体をバックルから抜き去る事ができる事を解決手段としたバックル。
【請求項３】
請求項１又は２に記載のバックルを帯状のベルト本体の端部に取り付けてなる事を特徴としたベルト。
【発明の詳細な説明】
【技術分野】
【０００１】  本発明はベルト用バックル及びベルトに関する。
【背景技術】
【０００２】  従来のピン付バックルと呼ばれるベルト用バックルとしては、帯状のベルト本体が枢止される枠体に、ベルト本体に設けられた挿通孔に挿通されるピンを回動可能に枢支してなる物が知られている。
【先行技術文献】
【特許文献】
【０００３】
【特許文献１】特開平１０−１７４６０５
【発明の概要】
【発明が解決しようとする課題】
【０００４】  しかしながら、従来のピン付バックルと呼ばれるベルト用バックルは、これをベルト本体に設けてベルトとしたものにおいて、体に装着したベルトを取り外しの際には挿通されたピンを抜き取る為に、ベルトの先端部分を強く屈曲させて起こし、さらに先端を引っ張らなければ挿通孔からピンを抜き去る事ができず、バックルに接触したベルト部分が強い屈曲により損傷が早かった。また、取り外しの際に身体を締め付け装着者に苦痛を与えるものであった。【０００５】  例えば、特許文献１のバックルにおいては、ピンの先端部分が折れ曲がりベルトを強く屈曲しなくてもベルトを取り外すことができるため、ベルトの損傷を防ぎ、装着者に締め付けによる苦痛を与える事は無いが、ベルトを取り外す際にピンをベルトから抜き去る事が出来る位置までピンを押し下げる操作は、お腹を押す事と同じ行為にあたり装着者に苦痛を与える事になる。また、ピンを次回装着するために元の位置に戻す事も手間がかかる。【０００６】  また、他にもバックル本体からピンを外してベルトを抜き取りやすくする機能を採用したバックルは存在するが、何れもピンを元の状態に戻すのに手間がかかり、課題となっていた。【０００７】  本発明は、上記の点に鑑みてなされた物であり、上記従来の欠点を解消し、ベルトを体から取り外す際にベルト先端を屈曲させる必要が無く、しかも装着者に苦痛を与えていたベルト先端部を引っ張る必要も無く、しかもベルト本体をほとんど曲げる事なくバックルから抜き取る事ができるためベルト本体の損傷を軽減できる。
【課題を解決するための手段】
【０００８】  略矩形のピン付バックルにおいて、矩体の一辺が欠けたコの字状のバックル本体と、操作部を嵌合したベルト用バックルであって、バックル本体には開口部両端に操作部を嵌合する窪みが設けられ、操作部は帯状のベルト本体を枢止するための枢軸の両端に操作板を設け、該枢軸の中央部にはベルト本体に挿通されるピンを挟み込むように枢支する支持部とからなり、支持部はピンを枢支するための孔が開けられ、ピンと、コイルバネと、芯とからなり、一端にコイルバネが内蔵されたピンを芯が支持部に回動可能に枢支し、前記操作板を回動させることにより、支持部に枢支されたピンが支持部に連動して回動方向に引かれ、ベルト本体の挿通孔に挿通されたピンがバックルに当接している部分からバックル裏面へと外れると同時に、ベルト本体の挿通孔からピンが抜け落ち、係止状態を解除されたベルト本体をバックルから抜き去る事が可能となり、ベルト本体が抜き去られればピンは内蔵されたコイルバネの弾性によりバックル表側に戻る事を解決手段としたバックル。【０００９】  略矩形のピン付バックルにおいて、矩体の一辺が欠けたコの字状のバックル本体と、操作部を嵌合したベルト用バックルであって、バックル本体には開口部両端に操作部を嵌合する窪みが設けられ、操作部は帯状のベルト本体を枢止するための枢軸の両端に操作板を設け、該枢軸の中央部にはベルト本体に挿通されるピンを挟み込むように枢支する支持部とからなり、支持部にはピンを枢支するための孔が開けられ、ピンと、ピンを回動可能に枢支する芯とからなり、該芯がピンを回動可能に枢支し、前記操作板を回動させることにより、支持部に枢止されたピンが支持部に連動して回動方向に引かれる事により、ベルトの挿通孔に挿通されたピンがバックルに当接している部分からバックル裏面に外れると同時にベルト本体の挿通孔からピンが抜け落ち、ベルト本体をバックルから抜き去る事ができる事を解決手段としたバックル。【００１０】  上記に記載のバックルをベルト本体に装着したベルトを解決手段とする。
【発明の効果】
【００１１】  本発明の効果は、バックル側面に設けられた操作板を回動させる簡単な操作で、ベルトの挿通孔に挿通されたピンがバックルに当接している部分から裏面に外れると同時に、ベルト本体の挿通孔からもピンが抜け落ち、ベルト本体の係止状態が解除される。このように、ベルトの先端部分を強く屈曲させ、さらに先端を引っ張りベルト本体の挿通孔からピンを抜き取る必要が無くなることでベルトの損傷を防ぎ、ベルト先端を引っ張ることで起きる巻き径が小さくなる事も無く、よって体を締め付ける苦痛も無くなる。【００１２】  また、バックルの裏に外れたピンは、内部のコイルバネの弾勢によりバックルの表側に復帰するので、次にベルトを体に装着する際もピンを元に戻す手間がない。
【図面の簡単な説明】
【００１３】
【図１】本発明の、一実施例をベルトに取り付けた状態を示す斜視図である。
【図２】本発明のバックルの組立て分解図である。
【図３】本発明のバックルの装着時の断面図である。
【図４】本発明の操作説明の斜視図である。
【図５】本発明の操作説明の斜視図である。
【図６】本発明の他の実施例の斜視図である。
【図７】本発明の他の実施例の斜視図である。
【発明を実施するための形態】
【００１４】  本発明の実施形態に係る、バックル１について図面を参照して説明する。なお、各図面の補助的な断面図は、ベルト取り付け部５を省略している。
【００１５】  図１は本発明の一実施例である。バックル１はバックル本体１１に嵌合された操作部２の枢軸２１に、ベルト本体４とベルト取り付け部５によりバックル１に枢支されており、図１はバックル１にベルト本体４を装着した状態を示している。
【００１６】  図２は本発明の一実施例を示す組立て分解図であり、コの字状のバックル本体１１の開口部１２の両端には操作部２を嵌合するΩ型の窪み１３が設けられており、操作部２の切り込み２４を嵌合する。操作部２は帯状のベルト本体４を枢止するための枢軸２１の両端に操作板２２を設け、該枢軸２１の中央部にはピン３を挟み込むように枢支する支持部２３が突起しており、支持部２３の先端には孔２５が設けられ、コイルバネ２６を内蔵したピン３を芯２７により枢支する。コイルバネ２６は一端をピン側に嵌合し多端は芯２７の溝に係止される。
【００１７】  図３に示すように、ベルトを体に装着する際はピンが支持部２３の芯２７を中心として回動するので、既存のピン付バックルと同じ装着動作で体に装着する事ができる。
【００１８】  図４で本発明の操作状態を説明する。バックル本体１１に嵌合された操作部２の操作板２２をＫ１方向に回動させると、枢軸２１中央部の支持部２３も同じだけＫ２方向に回動する事になり、支持部２３に枢支されたピン３がＫ２方向に移動する事となる。ピン３がＫ２方向に移動すると、バックル１に当接していたピン先３１はベルト本体４のＮ１方向への引っ張りによりバックル１から裏面へ外れることとなる。
【００１９】  ピン先３１がバックル１から裏面へ外れると同時に、ピン先３１はベルト４の挿通孔４１からも抜け、ベルト４はピン３による係止状態から解除され、そのままバックル１からＮ１方向へ抜去できるようになる。
【００２０】  ベルト本体４がＮ１方向に移動されている間、ベルト４に押さえつけられた状態のピン３は、ベルト本体４がバックル１から抜去されると同時に、図５で示すようにピン３に内蔵されたコイルバネ２６の弾勢により、回動された支持部２３の角度まで復帰する事になり、操作板２２を回動させる前の位置に戻す事により、ピン先３１はバックル１に当接するので次回ベルトを装着する際にピン３を元の位置に戻す必要が無く、そのまま使用することができるため手間が掛からない。
【００２１】  図６で本発明の実施例の他の一例を説明する。図６のバックル１Ｂは中央に操作部２を設けた一例である。操作部２の趣旨は前記のバックル１と同じであり、操作板２２を回動させることによりピン３の位置が移動しベルト本体４を抜去することができる。
【００２２】  図７で本発明の実施例の他の一例を説明する。図７のバックル１Ｃはバックル１側面に設けてある操作板２３をバックル本体１１に被るように延長したが、操作部２の趣旨は前期のバックル２と同じであり、ベルト４の係止状態を解除する操作はバックル３側面を回動させても良いし、バックル３先端部分をＫ１方向に回動させても可能である。
【００２３】  本発明に係るバックル１は一実施形態を図示したような形状において構造を限定したものではなく、本発明を説明する為の例示であり、図５で示すように操作板を回動させてピンを移動させる本発明の趣旨は図６や図７に図示するように、さまざまな形態で実施する事ができる。
【産業上の利用可能性】
【００２４】  本発明の趣旨は操作板を回動させて、バックルに当接しているピンの位置を移動させベルトを抜去しやすくする事が趣旨であるので、バックル本体のデザインに影響を与えることなく、ファッション性を損ねる事が無い。【００２５】  本発明のバックルは、体に装着したベルトを取り外しの際の、挿通されたピンを抜き取る為の、ベルトの先端部分を強く屈曲させて起こし、さらに先端を引っ張らなければ係止孔からピンを抜き去る事ができず、バックルに接触したベルト部分が強い屈曲により損傷するという不都合を防ぐ事ができるので、ベルトの耐久性に貢献する。【００２６】  装着あるいは取り外しの際に身体を締め付け装着者に苦痛を与えないので、お年寄りや、締め付けを避けなければならない状況での使用に効果的である。
【符号の説明】
【００２７】１          バックル
１Ｂ        バックル
１Ｃ        バックル
１１        バックル本体
１１Ｂ      バックル本体
１１Ｃ      バックル本体
１２        開口部
１３        窪み
２          操作部
２１        枢軸
２２        操作板
２２Ｂ      操作板
２２Ｃ      操作板
２３        支持部
２４        切り込み
２５        孔
２６        コイルバネ
２７        芯
３          ピン
３１        ピン先
４          ベルト本体
４１        挿通孔
５          ベルト取り付け部
Ｋ１        操作方向
Ｋ２        移動方向
Ｐ１        移動方向
Ｎ１        引っ張り方向
【図１】
2016049430.tif 000003
【図２】
2016049430.tif 000004
【図３】
2016049430.tif 000005
【図４】
2016049430.tif 000006
【図５】
2016049430.tif 000007
【図６】
2016049430.tif 000008
【図７】
2016049430.tif 000009